(57)【特許請求の範囲】
【請求項１】
サーボトラックライターにより，ユーザデータが書き込まれるデータバンドと保護バンドとからなるディスク状記憶媒体にサーボ情報を書き込む時に，
サーボトラックライターのポートナンバーを，前記ディスク状記憶媒体の内周保護バンド或いは外周保護バンドに存在するサーボセクタのグレーコード区間に記録することを特徴とする，サーボトラックライターのポートナンバー記録方法。
【請求項２】
前記ポートナンバーは，ベンダーユニークコマンドによりアクセス及びコーディングされることを特徴とする，請求項１に記載のサーボトラックライターのポートナンバー記録方法。
【発明の詳細な説明】
【０００１】
【発明の属する技術分野】
本発明は、磁気記憶装置のサーボトラックライター情報の記録方法に関する。
【０００２】
【従来の技術】
ハードディスク、フレキシブルディスクなどの磁気記憶装置は、コンピュータシステムの補助記憶装置として広く用いられている。特にハードディスクは、大量のデータを記憶することができ、また高速でデータアクセスが可能である。
【０００３】
ハードディスクドライブには、図１に示すように、内部のスピンドルモータによって高速回転するディスク２と、アクチュエータアーム２０とが備えられている。アクチュエータアーム２０は回転軸１０を中心に回転自在に取り付けられ、その一側に設けられたボビン１２及びコイルがボイスコイルモータ１８によって移動するにつれ、他側のサスペンション６の先端に取り付けられたヘッド４がディスク２上のトラックに／からデータを書込み又は読出す。この際サスペンション６の先端に取り付けられたヘッド４は、ディスク２の高速回転することにより生じる気流によって浮上して移動する。
【０００４】
図２は、スピンドルモータ２２の駆動軸に取り付けられたディスク２上のバンドを説明するためのディスクアセンブリの斜視図である。
【０００５】
ディスク２には、ドライブを使用しない時（電源オフ時）ヘッド４が位置するパーキングゾーン（Parking Zone：ＰＺ）、実データが書き込まれるデータバンド（Data Band：ＤＢ）、ＯＧＢ（Outer Guard Band）及びＩＧＢ（Inner Guard Band）がある。ＤＢ上にデータを書き込んだ後、書き込まれたデータを読み出すためには、ヘッド４を目標トラックに移動し、一定範囲内で目標トラックのセンターラインを追従させるサーボ制御が求められる。ハードディスクドライブでは、サーボ制御のためにディスク２上にサーボ情報を記録する必要がある。通常、サーボ情報はハードディスクドライブの製造工程時、サーボトラックライター（Servo Track Writer：ＳＴＷ）によってディスク２に記録される。
【０００６】
図３のＡ〜Ｃを参照してサーボ情報を説明する。
【０００７】
図３のＡ〜Ｃは、ディスク２のＤＢに同心円状に配列されるトラックに対するセクタフォーマットを示している。トラックには（Ａ）に示すようにサーボセクタとデータセクタが交互に配列されており、データセクタはＩＤ情報が書き込まれるＩＤ区間（ヘッダレスフォーマットの場合は除く）と、ユーザデータが書き込まれるデータ区間とに分けられる。サーボセクタは（Ｂ）に示すように、ヘッド４がデータ書き込み動作からサーボ情報を読み出す動作に変わる際にかかる時間及び全ディスク領域で読み出した位置信号の大きさを一定に保つためのＡＧＣ（Auto Gain Control）区間と、サーボ信号検出の同期を取るためのサーボ同期区間（ＳＹＮＣ）と、各種サーボタイミング生成の基準信号として記録されるサーボアドレスマーク（Servo Address Mark：ＳＡＭ）区間と、ディスク１回転分の情報を提供するためのインデックス（Index：ＩＤＸ）区間と、グレーコード区間と、ヘッドのオン−トラック位置制御のためのサーボバースト（Ａ，Ｂ，Ｃ，Ｄ）区間と、ＰＡＤ区間とからなる。そしてグレーコード区間には、（Ｃ）に示すようにサーボセクタナンバー、ヘッドナンバー、シリンダーナンバーなどのアドレス情報が書き込まれる。
【０００８】
【発明が解決しようとする課題】
このようにサーボセクタには多くのサーボ情報が書き込まれるが、製造工程に用いられる多数のＳＴＷのうち、どのＳＴＷが使われたかに関する情報はない。どのＳＴＷを使用したかの情報は、生産量、良品数、不良品数などを管理するための情報として有用である。またサーボ情報が正しく記録されなかった場合、該当ＳＴＷを簡単に特定でき、効率よく修復できる。
【０００９】
【課題を解決するための手段】
従来のハードディスクの製造工程ではＳＴＷに関する情報（ポートナンバー）を記録していないため、不具合時にドライブを解析するときにどのＳＴＷを使用したかの特定は難しい。ポートナンバーとは、各ＳＴＷに付したナンバーである。そこで本発明は、ＳＴＷに関する情報（ポートナンバー）の記録方法を提供する。
【００１０】
本発明のＳＴＷのポートナンバー記録方法は、サーボ情報の書き込み時にサーボトラックライターのポートナンバーを記録媒体上の所定区間に記録することを特徴とする。所定区間は、サーボセクタ内に位置する。
【００１１】
すなわち本発明によれば、ユーザデータが書き込まれるデータバンドと保護バンドとからなるディスク状記憶媒体にサーボ情報を書き込む時に、サーボトラックライターのポートナンバーを、全バンドのうちの少なくとも一つのバンドに存在するサーボセクタのグレーコード区間に記録することを特徴とする。この場合特にポートナンバーは、ディスク状記憶媒体の内周保護バンド或いは外周保護バンドに存在するサーボセクタに記録するのが好ましい。
【００１２】
【発明の実施の形態】
以下、本発明の実施形態を添付図面を参照して詳細に説明する。
【００１３】
図４は、サーボ情報をディスク２に書き込むＳＴＷのブロック構成図である。
【００１４】
固定ユニット３０はＨＤＡ（Head Disk Assembly）３２を固定させるためのクランプユニット３４ａ、３４ｂ、３４ｃの他に、サーボ基準クロックをクロックヘッドによってディスク２に書き込むクロックヘッドユニット３６を有する。サーボ基準クロックは、サーボ情報の書き込み時にディスク面で基準位置を決定するためのクロックであって、ディスク２の所定位置（通常、最外郭サーボトラックより外側）に書き込まれる。サーボトラックとは、ＳＴＷによってディスク面に形成されるトラックを意味する。一方クロックヘッドは、通常ＨＤＡ３２の側面の孔を通じてサーボ基準クロック位置にローディングされる。側面の孔はラベルによって封じられる。主制御ユニット３８は各部を制御する。ユーティリティ供給ユニット４０は、ＳＴＷの電源、ＨＤＡ３２に必要な空気などを供給する。アクチュエータ動作制御ユニット４２はアクチュエータの移動を制御する。インタフェースユニット４４は、外部からのＳＴＷ制御のための端末装置と主制御ユニット３８間のインタフェースを提供する。パターン書込／読出ユニット４０は、主制御ユニット３８の制御によってヘッドを通じてディスク面にサーボ記録パターンを書き込み又は読み出す。クロック及びパターン発生ユニット４８は、主制御ユニット３８の制御によってサーボ基準クロック及びサーボ記録パターンを発生する。スピンドル駆動ユニット５０は、主制御ユニット３８の制御によってスピンドルモータ２２を駆動する。
【００１５】
図５Ａは、ＳＴＷのポートナンバーが記録されるＯＧＢ，ＩＧＢ部分の特定グレーコード区間の詳細フォーマット図であり、図５Ｂは、ディスク２の扇状部分平面図である。
【００１６】
図４のような構成のＳＴＷで、ディスク２上にサーボトラックを書き込むことによって、図２及び図５Ｂに示したように、ディスク２はＯＧＢ、ＤＢ、ＩＧＢの３つのバンドに区分される。このうち、ユーザデータが記録されるバンドはＤＢだけであり、残りのバンドＯＧＢとＩＧＢは、ドライブの熱による変形や分品公差、探索時オーバーシュートなどのためのマージンである。このように区分される３つのバンドには、それぞれＳＴＷのポートナンバーがサーボトラック書込み工程で記録される。ここで、ＤＢ内のデータセクタにＳＴＷのポートナンバーを書き込む場合、バーンイン工程中にデータ書込み動作によってポートナンバーが消去される恐れがあるため、データ書き込み動作の前にポートナンバーをメンテナンスシリンダーに再記録する必要がある。
【００１７】
従って、ＳＴＷのポートナンバーをサーボセクタ内のグレーコード区間上に記録する。この場合サーボセクタは、ＯＧＢ或いはＩＧＢに存在するサーボセクタを意味し、グレーコード区間にはＳＴＷのポートナンバーとシリンダーナンバーのみ記録される。従来グレーコード区間には、セクタナンバー、ヘッドナンバー、シリンダーナンバーが記録されるが、ＯＧＢ或いはＩＧＢにはユーザデータが書き込まれないのでセクタナンバーやヘッドナンバーのような情報は不要である。従って、このＯＧＢ或いはＩＧＢに存在するサーボセクタ内のグレーコード区間に、ＳＴＷのポートナンバーを記録する。ＳＴＷのポートナンバーはドライブの駆動に殆ど用いられないため、ＤＢ内のサーボセクタにＳＴＷのポートナンバーを記録するのは好ましくないが、記録しても良い。
【００１８】
ＳＴＷによってＯＧＢ或いはＩＧＢのサーボセクタ内のグレーコード区間に記録されるポートナンバーは、ベンダーユニークコマンド（Vendor unique command）によりアクセス及びコーディングすることによって、ハードディスクドライブの製造工程時に工程自動化情報として有効に用いられる。また、ポートナンバーを記録する場合には、データ書込みの前に、最初にアクセスされたポートナンバーをメンテナンスシリンダーに記録して用いても良い。
【００１９】
【発明の効果】
以上のような本発明のＳＴＷポートナンバー記録方法により、サーボトラックライターのポートナンバーにより各製造工程でテストしたディスクのディスクシリアルナンバー、パス／フェール（pass／fail）などを提供して工程自動化情報として用いられる。また、不具合発生時の解析、不良ディスクの調査が容易になり、保守、修理の対応が早くなる。
【図面の簡単な説明】
【図１】ハードディスクドライブの斜視図。
【図２】ディスク上のバンドを説明するためのディスクの斜視図。
【図３】任意のトラックのセクタフォーマット図。
【図４】サーボトラックライターのブロック構成図。
【図５】分図Ａは特定グレーコード区間の詳細フォーマット図、分図Ｂはディスクの扇状部分平面図。
【符号の説明】
２    ディスク
３０  固定ユニット
３２  ＨＤＡ
３４ａ、ｂ、ｃ  クランプユニット
３６  クロックヘッドユニット
【図１】
0004015277.tif 000002
【図２】
0004015277.tif 000003
【図３】
0004015277.tif 000004
【図４】
0004015277.tif 000005
【図５】
0004015277.tif 000006